(57)【特許請求の範囲】
【請求項１】
先端側と後端側とにおいて各々一体的に結束固着されてループを形成する複数の弾性ワイヤが操作ワイヤの先端に連結された内視鏡用ワイヤループ型処置具において、
上記複数の弾性ワイヤを、上記先端側の結束固着部の内部と外部の双方にまたがる範囲において、上記結束固着部の内部から外部に向かうにしたがって外方向に広がる斜め向きに配置したことを特徴とする内視鏡用ワイヤループ型処置具。
【請求項２】
上記先端側の結束部位と非結束部位との境界部分における上記弾性ワイヤの広がり角が２０°〜４０°の範囲にある請求項１記載の内視鏡用ワイヤループ型処置具。
【請求項３】
上記弾性ワイヤが、上記後端側の結束部における結束部位と非結束部位との境界部分においても、上記結束部位側から上記非結束部位側へ外方向に広がる斜め向きに配置されている請求項１又は２記載の内視鏡用ワイヤループ型処置具。
【請求項４】
上記後端側の結束部位と非結束部位との境界部分における上記弾性ワイヤの広がり角が１０°〜４０°の範囲にある請求項３記載の内視鏡用ワイヤループ型処置具。
【請求項５】
上記非結束部位に隣接する上記結束部位の端部において、上記弾性ワイヤの表面に固着剤が盛られて上記弾性ワイヤが結束されている請求項１、２、３又は４記載の内視鏡用ワイヤループ型処置具。
【請求項６】
上記弾性ワイヤが三本以上設けられてバスケット型異物回収具のワイヤループが形成されている請求項１、２、３、４又は５記載の内視鏡用ワイヤループ型処置具。
【請求項７】
上記弾性ワイヤが二本設けられて高周波スネアのワイヤループが形成されている請求項１、２、３、４又は５記載の内視鏡用ワイヤループ型処置具。
【請求項８】
上記二本の弾性ワイヤが、素材としては一本のワイヤで形成されていて、先端に固着剤が盛られて実質的にそこで二本のワイヤが結束された状態になっている請求項７記載の内視鏡用ワイヤループ型処置具。
【発明の詳細な説明】
【０００１】
【発明の属する技術分野】
この発明は、内視鏡用スネアや内視鏡用バスケット型異物回収具等のような内視鏡用ワイヤループ型処置具に関する。
【０００２】
【従来の技術】
従来の内視鏡用バスケット型異物回収具等のような内視鏡用ワイヤループ型処置具は、例えば図７に示されるように、外套管９１内に軸線方向に進退自在に操作ワイヤ９２を挿通配置して、先端側と基端側とにおいて一体的に結束された例えば４本の弾性ワイヤ９３によってループを形成し、その基端を操作ワイヤ９２の先端に連結している。
【０００３】
４本の弾性ワイヤ９３の先端部分は、先端結束管９４に差し込まれてそこにロー付け等で固着され、弾性ワイヤ９３の基端部分は、操作ワイヤ９２と連結するための連結管９５に差し込まれてそこにロー付け等によって固着されている。
【０００４】
【発明が解決しようとする課題】
上述のような弾性ワイヤ９３によって形成されるワイヤループ内に異物１００を収容すると、先端側の結束部と非結束部との境界部分Ａにおいて、図８に示されるように各弾性ワイヤ９３が外方に曲げられる。
【０００５】
そして、異物をしっかり把持するために操作ワイヤ９２を牽引すると、図９に示されるように、さらに弾性ワイヤ９３を外方に広げる強い力が加わり、結束部と非結束部との境界部分Ａに極端な応力の集中が生じて疲労し、弾性ワイヤ９３が短期間で折れ易くなってしまう。
【０００６】
そこで本発明は、ワイヤループを形成する弾性ワイヤの結束部が優れた耐久性を有する内視鏡用ワイヤループ型処置具を提供することを目的とする。
【０００７】
【課題を解決するための手段】
上記の目的を達成するため、本発明の内視鏡用ワイヤループ型処置具は、先端側と後端側とにおいて一体的に結束されてループを形成する複数の弾性ワイヤが操作ワイヤの先端に連結された内視鏡用ワイヤループ型処置具において、上記先端側の結束部における結束部位と非結束部位との境界部分において、上記弾性ワイヤを、上記結束部位側から上記非結束部位側へ外方向に広がる斜め向きに配置したことを特徴とする。
【０００８】
なお、上記先端側の結束部位と非結束部位との境界部分における上記弾性ワイヤの広がり角が２０°〜４０°の範囲であるとよい。
【０００９】
また、上記弾性ワイヤが、上記後端側の結束部における結束部位と非結束部位との境界部分においても、上記結束部位側から上記非結束部位側へ外方向に広がる斜め向きに配置されていてもよい。
【００１０】
その場合、上記後端側の結束部位と非結束部位との境界部分における上記弾性ワイヤの広がり角が１０°〜４０°の範囲であるとよい。
また、上記非結束部位に隣接する上記結束部位の端部において、上記弾性ワイヤの表面に固着剤が盛られて上記弾性ワイヤが結束されていてもよい。
【００１１】
なお、上記弾性ワイヤが三本以上設けられてバスケット型異物回収具のワイヤループが形成されていてもよく、上記弾性ワイヤが二本設けられて高周波スネアのワイヤループが形成されていてもよい。
【００１２】
そして上記二本の弾性ワイヤが、素材としては一本のワイヤで形成されていて、先端に固着剤が盛られて実質的にそこで二本のワイヤが結束された状態になっていてもよい。
【００１３】
【発明の実施の形態】
図面を参照して本発明の実施の形態を説明する。
図２は、本発明が適用された内視鏡用バスケット型異物回収具の先端部分を示している。
【００１４】
１は、内視鏡の鉗子チャンネル内に挿脱される例えば四フッ化エチレンチューブからなる可撓性のある外套管であり、その中には、操作ワイヤ２が軸線方向に進退自在に全長にわたって挿通配置されている。操作ワイヤ２は、外套管１の基端に連結された操作部（図示せず）によって押し引き操作される。
【００１５】
３は、全体としてかご状のループを形成する例えばステンレス鋼線からなる複数（例えば４本）の弾性ワイヤであり、自然状態でループを形成するように、途中の複数箇所において折り曲げられている。
【００１６】
複数の弾性ワイヤ３は、先端側において一体的に束ねられており、後端側においては、一体的に束ねられて操作ワイヤ２に連結されている。なお、バスケット型異物回収具を構成するためには、弾性ワイヤ３は少なくとも三本あればよい。
【００１７】
図１は、弾性ワイヤ３の先端側結束部を拡大して示しており、全弾性ワイヤ３の先端がまとめて先端結束管４に通され、そこに銀ロー付け等によって固着されている。先端結束管４の軸線は、ほぼ外套管１の軸線の延長線上に位置している。
【００１８】
各弾性ワイヤ３は、先端結束管４の後端から出た位置で、各々外方向に曲げられている。そして、先端結束管４の後端面から弾性ワイヤ３の外周面にかけて、銀ローなどの固着剤７が盛られている。
【００１９】
その結果、各弾性ワイヤ３は、先端結束管４内の部分だけでなく固着剤７で固着された部分においても結束された状態にあり、固着剤７の後端部分Ａが結束部分と非結束部分との境界部になっている。
【００２０】
したがって、各弾性ワイヤ３は、結束部位と非結束部位との境界部分Ａにおいて、結束部位側から非結束部位側へ外方向に広がる斜め向きに配置された状態になっている。その広がり角αは、例えば２０°〜４０°の範囲である。
【００２１】
弾性ワイヤ３によって形成されるループ内に異物を収容して操作ワイヤ２を後方に引っ張り、弾性ワイヤ３で異物を締め付けるようにすると、図３に示されるように、弾性ワイヤ３が結束部位と非結束部位との境界部分Ａで外方向に広げられる。
【００２２】
しかし、各弾性ワイヤ３は、結束部位と非結束部位との境界部分Ａで元々外方向に広がる斜め向きに配置されているので、その状態からの変形量は小さく、境界部分Ａにおいて弾性ワイヤ３に極端に大きな応力集中は発生しない。
【００２３】
図４は、弾性ワイヤ３の後端側結束部を拡大して示しており、全ての弾性ワイヤ３の後端がまとめて後端接続管５に通され、後端接続管５の先側半部内に銀ロー付け等によって固着されている。後端接続管５の後側半部には、操作ワイヤ２の先端部分が通されて銀ロー付け等によって固着されている。
【００２４】
各弾性ワイヤ３は、後端接続管５の先端から出た位置で、各々外方向に曲げられている。そして、後端接続管５の先端面から弾性ワイヤ３の外周面にかけて、先端側と同様に銀ローなどの固着剤７が盛られている。
【００２５】
その結果、各弾性ワイヤ３は、後端接続管５内の部分だけでなく固着剤７で固着された部分においても結束された状態にあり、固着剤７の先端部分Ｂが結束部分と非結束部分との境界部になっている。
【００２６】
したがって先端側と同様に、各弾性ワイヤ３は、結束部位と非結束部位との境界部分Ｂにおいて、結束部位側から非結束部位側へ外方向に広がる斜め向きに配置された状態になっている。
【００２７】
その広がり角βは、例えば１０°〜４０°の範囲であり、それによって、ループ内に異物を収容したとき、境界部分Ｂにおいて弾性ワイヤ３に極端に大きな応力集中が発生しない。
【００２８】
図５は、本発明の第２の実施の形態の内視鏡用バスケット型異物回収具の先端部分を示しており、弾性ワイヤ３を折り曲げずに滑らかな曲線状に形成したものである。その他の各部の構成は第１の実施の形態と同じである。
【００２９】
図６は、本発明の第３の実施の形態の内視鏡用高周波スネアの先端部分を示しており、弾性ワイヤ３が素材としては一本のワイヤによって形成されてループを形成している。
【００３０】
ただし、弾性ワイヤ３の先端部分はＶ字状に尖った形状に形成されていて、その部分に銀ロー等の固着剤７が盛られて固められている。弾性ワイヤ３の基端部分は、後端接続管５に差し込まれて第１の実施の形態と同様に固着剤７が盛られている。
【００３１】
したがって、弾性ワイヤ３は実質的には二本のワイヤが先端部分と基端部分とで結束されているのと変わらない。そして固着剤７による先端側の結束部分と非結束部分との境界部分Ａは、弾性ワイヤ３が外方向に向かう部分にあり、この実施の形態においても第１の実施の形態と同様の効果が得られる。
【００３２】
【発明の効果】
本発明によれば、ワイヤループを形成する複数の弾性ワイヤの結束部位と非結束部位との境界部分において、弾性ワイヤを、結束部位側から非結束部位側へ外方向に広がる斜め向きに配置したので、弾性ワイヤを広げる方向に力が加わっても弾性ワイヤの広がりの変形量は小さく、結束部位と非結束部位との境界部分において弾性ワイヤに極端に大きな応力集中は発生しない。したがって、ワイヤループを形成する弾性ワイヤの結束部が優れた耐久性を得ることができる。
【図面の簡単な説明】
【図１】本発明の第１の実施の形態の弾性ワイヤの先端部分の部分拡大側面断面図である。
【図２】本発明の第１の実施の形態の内視鏡用ワイヤループ型処置具の先端部分の側面断面図である。
【図３】本発明の第１の実施の形態の使用状態における弾性ワイヤの先端部分の部分拡大側面断面図である。
【図４】本発明の第１の実施の形態の弾性ワイヤの後端部分の部分拡大側面断面図である。
【図５】本発明の第２の実施の形態の内視鏡用ワイヤループ型処置具の先端部分の側面断面図である。
【図６】本発明の第３の実施の形態の内視鏡用ワイヤループ型処置具の先端部分の側面断面図である。
【図７】従来の内視鏡用ワイヤループ型処置具の先端部分の側面断面図である。
【図８】従来の弾性ワイヤの使用状態における先端部分の側面断面図である。
【図９】従来の弾性ワイヤの使用状態における先端部分の側面断面図である。
【符号の説明】
２  操作ワイヤ
３  弾性ワイヤ
４  先端結束管
５  後端接続管
７  固着剤
Ａ  先端側の結束部位と非結束部位との境界部分
Ｂ  後端側の結束部位と非結束部位との境界部分
【図１】
0003563906.tif 000002
【図２】
0003563906.tif 000003
【図３】
0003563906.tif 000004
【図４】
0003563906.tif 000005
【図５】
0003563906.tif 000006
【図６】
0003563906.tif 000007
【図７】
0003563906.tif 000008
【図８】
0003563906.tif 000009
【図９】
0003563906.tif 000010